(57)【要約】赤外線（ＩＲ）送信機を備える遠隔制御装置と、赤外線受信機を備える被制御装置とを有する赤外線遠隔制御システムの有効動作範囲を経済的に拡張するシステム。本発明によるシステムは、リモコンからＩＲ信号を受信し、リモコンから受信したＩＲ信号に対応するＲＦ出力信号を送出する第１の送信機を含んでいる。ＲＦ信号はＲＦ受信機で受信され、ＲＦ受信機は、受信したＲＦ信号に対応する第２のＩＲ信号を発生する。第２のＩＲ信号は、ＩＲ被制御装置に送信されて該ＩＲ被制御装置で受信される。ある場合には第１のＩＲ制御信号が、そしてどの場合にもＲＦ信号が、ＩＲ搬送周波数に関する情報／データを含んでいる。実際のＩＲ搬送周波数のＲＦ送信に代る、ＩＲ搬送周波数についてのこの情報／データは、ＩＲ搬送波の全周波数スペクトルを送信する必要がないので、ＲＦ帯域幅の縮小を可能にし、従って、ＡＳＫ（Ａｍｐｌｉｔｕｄｅ  Ｓｈｉｆｔ  Ｋｅｙｉｎｇ：振幅偏移キーイング）変調の使用を可能にする。ＲＦ受信機は受信した信号を復号化し、その情報／データを使用して、被制御装置に適合し且つ被制御装置に送られる第２のＩＲ制御信号を構成する。
2004532585.tif 000002
【特許請求の範囲】
【請求項１】
ＩＲ(赤外線)遠隔制御可能な装置にコマンドを送信する遠隔制御システムであって、
第１のＩＲ制御信号を送信する第１の制御装置と、
前記第１のＩＲ制御信号を受信し、前記第１のＩＲ制御信号に対応するＲＦ信号を送信する第２の制御装置と、
前記ＲＦ信号を受信し、前記ＲＦ信号に対応する第２のＩＲ制御信号を送信する第３の制御装置であって、前記第２のＩＲ制御信号は前記ＩＲ遠隔制御可能な装置で受信できる、前記第３の装置と、からなり、
前記ＲＦ信号はＡＳＫ変調される、前記遠隔制御システム。
【請求項２】
ＩＲ遠隔制御可能な装置にコマンドを送信する遠隔制御システムであって、
ＩＲ搬送波なしに第１のＩＲ制御信号を送信する第１の制御装置と、
前記第１のＩＲ制御信号を受信し、前記第１のＩＲ制御信号に対応するＲＦ信号を送信する第２の制御装置と、
前記ＲＦ信号を受信し、前記ＲＦ信号に対応する第２のＩＲ制御信号を送信する第３の制御装置であって、前記第２のＩＲ制御信号は、前記ＩＲ遠隔制御可能な装置を制御するために前記ＩＲ遠隔制御可能な装置で受信できる、前記第３の制御装置と、からなり、
前記第１の制御装置は、ＩＲ搬送周波数を識別するデータを前記第１のＩＲ制御信号内で送信し、前記データは、前記第３の制御装置で受信されるＲＦ信号の中に含まれて前記第３の制御装置で使用されて、前記第２のＩＲ制御信号を、前記識別されたＩＲ搬送周波数に構成する、前記遠隔制御システム。
【請求項３】
ＩＲ遠隔制御可能な装置にコマンドを送信する遠隔制御システムであって、
ＩＲ搬送周波数を含んでいる第１のＩＲ制御信号を送信する第１の制御装置と、
前記第１のＩＲ制御信号を受信し、前記第１のＩＲ制御信号に対応するＲＦ信号を送信する第２の制御装置と、
前記ＲＦ信号を受信し、前記ＲＦ信号に対応する第２のＩＲ制御信号を送信する第３の制御装置であって、前記第２のＩＲ制御信号は、前記ＩＲ遠隔制御可能な装置を制御するために前記ＩＲ遠隔制御可能な装置で受信できる、前記第３の制御装置と、からなり、
前記第２の制御装置は、前記ＲＦ信号内で、ＩＲ搬送周波数を識別するデータを送信するが前記ＩＲ搬送波を送信せず、前記情報は前記第３の制御装置で使用されて、前記第２のＩＲ制御信号を、前記識別されたＩＦ搬送周波数に構成する、前記遠隔制御システム。
【請求項４】
ＩＲ遠隔制御可能な装置にコマンドを送信する遠隔制御システムであって、
ＩＲ搬送波なしに第１のＩＲ制御信号を送信する第１の制御装置と、
前記第１のＩＲ制御信号を受信し、前記第１のＩＲ制御信号に対応するＲＦ信号を送信する第２の制御装置と、
前記ＲＦ信号を受信し、前記ＲＦ信号に対応する第２のＩＲ制御信号を送信する第３の制御装置であって、前記第２のＩＲ制御信号は、前記ＩＲ遠隔制御可能な装置を制御するために前記ＩＲ遠隔制御可能な装置で受信できる、前記第３の制御装置と、からなり、
前記第１の制御装置はＩＲ搬送周波数を識別するデータを前記第１の制御信号内で送信し、前記データは、前記第３の制御装置で受信されるＲＦ信号の中に含まれて前記第３の制御装置で使用されて、前記第２のＩＲ制御信号を前記識別されたＩＲ搬送周波数に構成し、前記ＲＦ信号は、振幅偏移キーイング変調される、前記遠隔制御システム。
【請求項５】
ＩＲ遠隔制御可能な装置にコマンドを送信する遠隔制御システムであって、
ＩＲ搬送周波数を含んでいる第１のＩＲ制御信号を送信する第１の制御装置と、
前記第１のＩＲ制御信号を受信し、前記第１のＩＲ制御信号に対応するＲＦ信号を送信する第２の制御装置と、
前記ＲＦ信号を受信し、前記ＲＦ信号に対応する第２のＩＲ制御信号を送信する第３の制御装置であって、前記第２のＩＲ制御信号は、前記ＩＲ遠隔制御可能な装置を制御するために前記ＩＲ遠隔制御可能な装置で受信できる、前記第３の制御装置と、からなり、
前記第２の制御装置は、前記ＲＦ信号内で、前記ＩＲ搬送周波数を識別するデータを送信するが前記ＩＲ搬送波を送信せず、前記データは、前記第３の制御装置で使用されて前記第２のＩＲ制御信号を、前記識別されたＩＲ搬送周波数に構成し、前記ＲＦ信号はＡＳＫ変調される、前記遠隔制御システム。
【請求項６】
第１の制御装置および第２の制御装置が、第３の制御装置および制御可能な装置と異なる室内に配置できる、請求項１〜５記載の遠隔制御システム。
【請求項７】
複数の第３の制御装置とそれぞれの制御可能な装置があり、第３の各制御装置は第２の制御装置の一つだけに応答する、請求項１〜６記載の遠隔制御システム。
【請求項８】
第１の制御装置と第２の制御装置が共通の家屋内に一緒に配置される、請求項１〜７記載の遠隔制御システム。
【請求項９】
前記第１のＩＲ制御信号の変形が、前記第２の制御装置のＲＦ出力送信段の電源を変調する、請求項１、４または５記載の遠隔制御システム。
【請求項１０】
第１の制御装置からのピーク出力信号がＲＦ送信機を１００パーセント変調する、請求項９記載の遠隔制御システム。
【請求項１１】
第１の制御装置からの、ピーク以下の出力信号がＲＦ送信機を１００パーセント変調する、請求項９記載の遠隔制御システム。
【請求項１２】
ＲＦ送信機が過変調され、衝撃係数のオン・タイムがオフ・タイムよりも短い、請求項１１記載の遠隔制御システム。
【請求項１３】
ＩＲ搬送周波数を指定するデータが少なくとも４ビット長である、請求項２、３、４または５記載の遠隔制御システム。
【請求項１４】
ＩＲ遠隔制御可能な装置にコマンドを送信する遠隔制御システムであって、
ＲＦ信号を送信する第１の制御装置と、
前記ＲＦ信号を受信し、前記ＲＦ信号に対応するＩＲ制御信号を送信する第２の制御装置であって、前記ＩＲ制御信号は前記ＩＲ遠隔制御可能な装置で受信できる、前記第２の制御装置と、からなり、前記ＲＦ信号はＡＳＫ変調される、前記遠隔制御システム。
【請求項１５】
ＩＲ遠隔制御可能な装置にコマンドを送信する遠隔制御システムであって、
ＲＦ信号を送信する第１の制御装置と、
前記ＲＦ信号を受信し、前記ＲＦ信号に対応するＩＲ制御信号を送信する第２の制御装置であって、前記ＩＲ制御信号は前記ＩＲ遠隔制御可能な装置を制御するために前記ＩＲ遠隔制御可能な装置で受信できる、前記第２の制御装置と、からなり、
前記第１の制御装置は、ＩＲ搬送周波数を識別するデータを前記ＲＦ信号内で送信し、前記データは前記第２の制御装置で使用されて、前記ＩＲ制御信号を前記識別されたＩＲ搬送周波数に構成する、前記遠隔制御システム。
【請求項１６】
ＩＲ遠隔制御可能な装置にコマンドを送信する遠隔制御システムであって、
ＲＦ信号を送信する第１の制御装置と、
前記ＲＦ信号を受信し、前記ＲＦ信号に対応するＩＲ制御信号を送信する第２の制御装置であって、前記ＩＲ制御信号は前記ＩＲ遠隔制御可能な装置を制御するために前記ＩＲ遠隔制御可能な装置で受信できる、前記第２の制御装置と、からなり、
前記第１の制御装置は、ＩＲ搬送周波数を識別するデータを前記ＲＦ信号内で送信し、前記データは前記第２の制御装置で使用されて、前記ＩＲ制御信号を前記識別されたＩＲ搬送周波数に構成し、
前記ＲＦ信号はＡＳＫ変調される、前記遠隔制御システム。
【請求項１７】
ＩＲ遠隔制御可能な装置にコマンドを送信する遠隔制御システムであって、
第１のＩＲ制御信号を受信し、前記第１のＩＲ制御信号に対応するＲＦ信号を送信する第１の制御装置と、
前記ＲＦ信号を受信し、前記ＲＦ信号に対応する第２のＩＲ制御信号を送信する第２の制御装置であって、前記第２のＩＲ制御信号は前記ＩＲ遠隔制御可能な装置で受信でき、
前記ＲＦ信号はＡＳＫ変調される、前記遠隔制御システム。
【請求項１８】
遠隔制御可能な装置にコマンドを送信する遠隔制御システムであって、
第１のＩＲ制御信号を受信し、前記第１のＩＲ制御信号に対応するＲＦ信号を送信する第１の制御装置と、
前記ＲＦ信号を受信し、前記ＲＦ信号に対応する第２のＩＲ制御信号を送信する第２の制御装置であって、前記第２のＩＲ制御信号は前記ＩＲ遠隔制御可能な装置を制御するために前記ＩＲ遠隔制御可能な装置で受信できる、前記第２の制御装置と、からなり、
前記第１の制御装置は前記ＲＦ信号内で、前記ＩＲ搬送周波数を識別するデータを送信するがそのＩＲ搬送波を送信せず、前記データは前記第３の制御装置で使用されて、前記第２の制御信号を、前記識別されたＩＲ搬送周波数に構成し、
前記ＲＦ信号はＡＳＫ変調される、前記遠隔制御システム。
【発明の詳細な説明】
【技術分野】
【０００１】
本発明は、赤外線（ＩＲ）遠隔制御（リモートコントロール）システムの有効動作距離を拡張するシステムに関し、特に、ＲＦ送信にＡＳＫ（Ａｍｐｌｉｔｕｄｅ  Ｓｈｉｆｔ  Ｋｅｙｉｎｇ：振幅偏移キーイング）変調を使用するシステムに関する。
【背景技術】
【０００２】
本発明は、電子機器、特に、娯楽用電子機器のための遠隔制御装置と構成に関する。
【０００３】
遠隔制御装置（リモコン）と遠隔制御される装置(被制御装置)との間で赤外線信号を利用する被制御電子装置には多数の種類がある。このうちで、一般に知られている被制御装置としては、ＶＣＲ、テレビジョン受信機、オーディオ・アンプ、ＤＶＤプレーヤなどがある。
【０００４】
ＩＲリモコンの動作距離の範囲を拡張するための装置は、既に知られており、例えば、米国特許第６，１２７，９４１号、第５，１４２，３９７号、および第４，８０９，３５９号に記載されている。このリモコン拡張システムは、マイクロウエーブ、ラジオなど、無線で信号を送信装置から受信装置に送り、受信装置は、遠隔制御可能な装置で実行できる特定のコマンドを含むＩＲ信号を発生する。
【０００５】
また、他の製造者からの、あるいは他の種類の装置のための赤外線フォーマットのような異種の送信フォーマットを認識し、これらを貯え、必要に応じて再び送信できる遠隔制御送信機も知られている。このような赤外線リモコン送信機は「学習型」リモコンとも呼ばれ、例えば、米国特許第５，５１５，０５２号および第４，６２６，８４８号に記載されている。
【発明の開示】
【０００６】
（発明の概要）
本発明は、赤外線送信機を備える遠隔制御装置（リモコン）と、赤外線受信機を備える被制御装置とを有する赤外線遠隔制御システムの有効動作範囲を経済的に拡張するシステムに関する。本発明によるシステムは、ＩＲ信号をリモコンから受信し、リモコンから受信された赤外線信号に対応するＲＦ出力信号を送出する第１の送信機を含んでいる。このＲＦ信号はＲＦ受信機で受信される。ＲＦ受信機は受信したＲＦ信号に対応する第２のＩＲ信号を発生する。第２のＩＲ信号はＩＲ被制御装置に送信され受信される。ある場合には、第１のＩＲ制御信号が、そしてどの場合にも、ＲＦ信号が、ＩＲ搬送周波数に関する情報／データを含んでいる。ＩＲ搬送波の全周波数スペクトルを送信する必要がなく、ＡＳＫ（振幅偏移キーイング）変調方式を使用できるので、実際のＩＲ搬送周波数のＲＦ送信に代る、このＩＲ搬送周波数の情報／データは、ＲＦ帯域幅の縮小を可能にする。ＲＦ受信機は受信した信号を復号化し、その情報／データを使用して、被制御装置に適合し被制御装置に送信される第２のＩＲ制御信号を形成する。
【発明を実施するための最良の形態】
【０００７】
本発明の２つの好ましい実施例を図１Ａに示す。実施例は、１つまたはそれ以上のＩＲ被制御装置１０、例えば、ＶＣＲ、ＤＶＤプレーヤ、ステレオ・コンポーネントなどを備えている。各ＩＲ被制御装置１０は、被制御装置１０の動作を制御するためにＩＲ信号を受信する光検出器１４を含んでいる。
【０００８】
遠隔制御装置（リモコン）１８は、被制御装置１０の動作を制御するために一般に使用されている。リモコンはキーパッド２０を備え、キーパッド２０のキーを押すとキーパッド２０は赤外線エミッタ２２から赤外線信号を発する。当該技術分野でよく知られているように、赤外線リモコンは視線（ｌｉｎｅ  ｏｆ  ｓｉｇｈｔ）装置である。すなわち、動作するためにリモコン１８は被制御装置１０の光検出器１４の見通し線内になければならない。また被制御装置１０は、普通の部屋の壁からのＩＲ反射を受け取る。
【０００９】
視線（および反射）の制限を解決するために、本発明は、このような赤外線リモコン・システムの有効動作範囲を拡張するシステムを提供する。図１Ａに示すように、本発明によるシステムは、被制御装置１０と一緒に室内に配置できる赤外線受信機または光検出器２６を有する第１のＲＦ送信機２４を備える。光検出器２６は、リモコン１８から送出される赤外線信号に反応し、送信機２４は、リモコン１８から受信した赤外線信号を表すＲＦ信号を発生する。本明細書に於いて、「ＲＦ」とは、遠赤外線の周波数以下の電磁波を意味する。実施例で、このＲＦ信号はアンテナ３２において極超短波（ＵＨＦ）信号であり、リモコン１８から発生される赤外線信号を表す。
【００１０】
次に、送信機３０からの無線（ＲＦ）信号は、例えば、別の部屋の中に被制御装置１０の視線（または反射）の範囲から外れて配置できるＲＦ受信機３８のアンテナ３４で受信される。ＲＦ受信機３８は、ＲＦ送信機３０から受信したＲＦ信号を表すＩＲ信号を発生する。ＲＦ受信機３６のこの出力信号は、被制御装置１０を望ましく起動させる。複数の室内にある他の被制御装置１０のために付加されるＲＦ受信機３６は、ＲＦ受信機３８を多重化する必要なしに使用できる。
【００１１】
実施例のＲＦ信号の変調は、ＡＳＫ（Ａｍｐｌｉｔｕｄｅ  Ｓｈｉｆｔ  Ｋｅｙｉｎｇ：振幅偏移キーイング）変調方式である。このタイプの変調が使用される理由は、以下に更に述べるように、一般に使用されるＦＳＫ（周波数偏移キーイング）変調と比較して相当な利点と経済性が得られるからである。この２つのタイプの変調／復調は、従来技術でよく知られている。従って、簡略にするために、ＡＳＫとＦＳＫの変調／復調の技術およびその回路については、本発明および／または特許請求の範囲を理解するのに必要と見なされる場合を除いて、それ以上は述べない。
【００１２】
低電力で無認可の送信用に割り当てられているＲＦ周波数帯域がある。米国では現在、ＦＣＣが低電力の送信（２９５〜３６５ＭＨｚ）の使用を許可している。このような送信用の平均電力は、例えば、５ミリワット以下（出力段で）に制限されている。送電用に、ＦＳＫ変調はＡＳＫ変調と比較して、複雑な電子機器および複雑な変調器を必要とする。ＡＳＫ変調は、Ｃ級出力段の電源の簡単なＡＭ変調によって達成できる。また、ＦＳＫでは常に搬送波を伝送しているので、同じ平均電力が絶えず伝送されている。ＡＳＫでは、周波数は変動しているが、衝撃係数「オン」タイムを有する。従って、送信機の出力段に入る同じ平均電力に対しピーク電力はずっと高くなり、ＡＳＫ変調ではさらに遠くの距離まで伝えられる。ＡＳＫ変調の衝撃係数「オン」タイムが短ければ、出力段に入る同じ平均電力に対しピーク電力はそれだけ高くなり、それだけ遠くまで信号を伝送することができ、注目すべきである。
【００１３】
受信機側に於いても、ＡＳＫ方式はＦＳＫ方式よりも経済的である。ＡＳＫ受信方式では、基本的に、ダイオードと、多くの場合、ダイオードの前に増幅／同調回路、そしてダイオードの後に低域フィルタを必要とする。これに対し、ＦＳＫ受信方式では、比較的高価な周波数弁別器、例えば、比検波器、および検波の前にクリップされる信号のために十分なＲＦ／ＩＦ広帯域増幅を必要とする。従って、ＦＳＫ方式と比較して、ＡＳＫ方式は経済的であると共に、上述したようにピーク電力がはるかに高いので、ずっと長いレンジ（動作範囲）を有する。言うまでもなく、十分な信号強度を与えられると、ＦＳＫ方式はノイズが低下する。しかしながら、ＡＳＫ方式は費用の点でより効果的であり、通常使用されているＦＳＫ方式よりも伝送距離がずっと長くなる。
【００１４】
しかしながら、ＡＳＫ変調方式では帯域幅の能力が低下する。ＩＲ搬送周波数は、３０ＫＨｚ〜５００ＫＨｚの範囲で変動する。ＲＦ送信が３０ＫＨｚ〜５００ＫＨｚのＩＲ搬送波を受け取るのに十分な帯域幅を要求されるなら、ＡＳＫ変調方式では十分でなく、ＦＳＫ方式を使用しなければならない。これは従来技術においては事実である。しかしながら、もしＲＦ送信に５００ＫＨｚ以上のＩＲ搬送周波数を伝送する能力を必要としなければ、ＩＲ搬送周波数を実際に伝送する必要がなく、そのＩＲ搬送周波数を形成するのに４ビットの情報で十分であることが判明している。これは、普通一般に使用されるＩＲ搬送周波数の数は限られており、選択されたＩＲ搬送周波数を本発明によるシステムに伝えるルックアップテーブルを参照できるからである。本発明によるシステムは４ビットだけを信号に追加すればよいので、ＲＦシステムは、５００ＫＨｚのＩＲ搬送波信号を伝送する能力を必要とせず、比較的低い帯域幅のシステム、すなわち、ＡＳＫ変調されたＲＦシステムを使用することがすることができ、ＦＳＫ方式よりも上述したような利点がある。
【００１５】
本発明によるシステムは、３つの方法で構成することができる。図１Ａの第１の実施例において、実際のＩＲ搬送波（信号から外される）をＲＦ伝送せずに、ＲＦ送信機３０で、第１のＩＲ搬送周波数を形成する４ビットが追加される。ここで使用されるＲＦ送信機３０は、ＩＲ／ＲＦトランスレータ（ｔｒａｎｓｌａｔｏｒ：変換器）とも言われる。これ（変換）は、リモコン１８から受信されるＩＲ搬送周波数の分析後に行われる。この場合、ＲＦ受信機３６（ＲＦ／ＩＲトランスレータとも言われる）は、ＩＲ搬送周波数がＩＲ遠隔制御可能な装置１０のために正確な周波数（ＲＦ信号中に含まれるデータから復号化される）となるように、第２のＩＲ信号を構成する。このため、ＩＲ遠隔制御可能な装置に使用されたリモコンを使用することができる。
【００１６】
再び図１Ａについて、第２の実施例では、教えられるリモコン、例えば、学習型リモコンを使用する。これは、例えば、そのＲＯＭ（これはそのマイクロプロセッサの一部であってもよいしまたはそうでなくてもよい）内のＩＲ遠隔制御可能な装置についてルックアップテーブルを使用して、ＩＲ搬送周波数を決定し、その情報を４ビットとして、ＲＦ送信機３０に伝送されるディジタル・ワードに追加する。その場合、ＲＦ送信機３０は、ＩＲ搬送周波数を決定するためにリモコン１８からのＩＲ信号を分析する必要はなく、ＩＲ信号に追加されたデータから直接、搬送周波数についての情報を読み取り、そのデータを、ＩＲ搬送波自体をその送信中に含めることなく、ＲＦ受信機３６に理解できる形式で送信できる。この場合、もしＩＲ搬送波がリモコンから供給されると、それは、ＲＦ送信される信号から取り外される。上記と同様に、ＲＦ受信機３６は、ＩＦ搬送周波数がＩＲ遠隔制御可能な装置のために正確な周波数になるように第２のＩＲ信号を構成する。その場合、学習型ＩＲリモコンを使用することができ、あるいは在庫の汎用リモコン（このようなＩＲ搬送周波数についての情報を、送信されたワードの一部として含んでいる）を使用することができる。第１と第２の実施例において、ＩＲ搬送波はＲＦ送信中に含まれていないので、上述したように、ＲＦ送信機をＡＳＫ変調することができる。
【００１７】
次に図１Ｂについて、第３の実施例で、リモコン１８は、単にＩＲリモコンではなく、ＲＦリモコンにもなる。これは、受信機３６で直接、ＲＦ出力信号を受信できることを意味し、従って、別個の送信機３０は省かれる。しかしながら、ＲＦリモコンは、前と同様、ＩＲ搬送波を送信せずに、ＩＲ搬送周波数を形成する４ビットのデータを送信し、ＲＦ搬送波はＡＳＫ変調される。受信機３８はやはり正確なＩＲ搬送周波数を有するＩＲ制御信号を発生して、ＩＲ遠隔制御可能な装置をリモコンで制御する。注目すべきことに、その場合、ＲＦリモコンおよびＲＦ送信機は同一のハウジング内に配置されている。同様に、図１Ａに関連して上述した他の２つの実施例についてＩＲリモコン１８とＲＦ送信機３０は何れも、共通のハウジング内に配置することができる。
【００１８】
ＲＦリモコンはＩＲも送信する。それは簡単な事柄であり、ＩＲコードを得て、ＲＦ周波数を表す４ビットを追加し、その４ビットをＲＦ遠隔送信部に結合させる。リモコン内のマイクロプロセッサは必要とされるＩＲ周波数を、ＩＲ送信のために合成しなければならなかったので、既に知っており、マイクロプロセッサにこの４ビットを発生させ、それをＲＦメッセージに追加するのは簡単な事柄である。これは送信機３０が行っているのと同様なことであるが、このような別個のステップの必要が無くなる。
【００１９】
この４ビットについて、そのサイズは、使用される搬送周波数の数に基づいている。従って、４ビット（１ニブル）は１６の公称搬送周波数を指定することができる。しかしながら、もし状況が許すなら、４ビット以上を使用することもできる。例えば、８ビット（バイト）では２５６のＩＲ搬送周波数を指定することができる。そのように拡張されたＩＲ搬送周波数のビット長でも、ＡＳＫ変調の利点が得られる。つまり、ＩＲ搬送周波数を形成するそのような情報を入れると、必要とされる伝送帯域幅が相当に縮小され、平均電力／ピーク電力比が増大するので、使用できるＩＲ搬送周波数の全域を送信するのに十分なＲＦ帯域幅を使用するよりも一層経済的である。
【００２０】
参考に、一般に使用されているＩＲリモコンの特性を以下に示す。
【表１】
2004532585.tif 000003
【００２１】
図２は、従来技術によるＩＲリモコンのタイミング・チャートを示す。ＩＲ送信は、振幅変調されたＩＲのバーストから成り、データはパルス間の間隔によって符号化される（ＩＲなし）。これは、ＰＰＭ（Ｐｕｌｓｅ  Ｐｏｓｉｔｉｏｎ  Ｍｏｄｕｌａｔｉｏｎ：パルス位置変調）と呼ばれる。パルスの幅は変化せず、前縁のタイミングだけが変化する。これは初期のタイミングを設定する同期パルスが存在するからである。タイマーが、パルスの別の前縁についてこの同期パルス後の離散的な時間を見て、送られた情報（ビット０、ビット１、送信の終了など）を決定する。これらはすべて、受信された最後の有効パルス・エッジからのタイミングに基づいている。次に、このＰＰＭデータは、ＩＲ搬送周波数を指定する４ビットのデータなしに、ＩＲ制御コードの通常の送信のためにＩＲ搬送波の上に変調される。
【００２２】
再び図２で、ＩＲエンベロープについて、論理「高」は変調されたＩＲの存在を表し、論理「低」はＩＲの非存在を表す。マークとスペースは、情報を伝送しない。これらは、ＩＲ受信機における自動利得制御（ＡＧＣ）を安定させるために存在している。第１の同期パルスはデータの開始を知らせ、その後のデータ・ビットのタイミングを開始する点を設定する。連続するＩＲパルス間の間隔は２４データ・ビットを符号化する。
【００２３】
図３は、情報を送るプロトコルを示す、図２の詳細なタイミング・チャートを示す。最初の４ビットはプリアンブル（装置のアドレス）を表し、次の８ビットは特定のコマンドを表し、その後に、プリアンブルとデータ（それぞれ、４ビットと８ビット）の論理的補足を伴う。データは最上位ビットが最初に送信される。
【００２４】
図３は、図２に示す典型的メッセージのデータ部の詳細を示す。これらの要素は完全なメッセージを形成する。リモート・ボタンが押されている間、そしてそのコマンドが有効であると考えられている間、同一のメッセージが絶えず繰り返され、メッセージ間には待機が指定されている。部分的なメッセージは送信されない。完全なメッセージが送信される前に、キー（ボタン）を放しても残りの部分は送信される。各コマンドは２回送られることに注目されたい。
【００２５】
本発明では、各プリアンブルのデータの前、すなわち、マークとスペースの後に４ビットが挿入される。この構成は、図４と図５に示され、４ビットが適正に表示されている。しかしながら、このような構成は一例にすぎず、他の構成も使用することができる。
【００２６】
図６は、実施例についてＩＲ搬送周波数を識別するための４ビット（１ニブル）に関する動作のフローチャートを示す。６００で、ユーザはリモコン１８上で所定の機能ボタンを押す。６０２で、リモコン内のマイクロプロセッサは、メモリ内のコード表（６０４）を使用して、制御しようとする種々の装置に対して適正なメッセージを決定する。ここで３つの可能性があり、図１Ａの２つの実施例は分岐６０６に示され、図１Ｂの実施例は分岐６０８に示される。
【００２７】
最初に分岐６０６に進み、６０８で、ＩＲによってコード（ｃｏｄｅ）が送信される。実施例１については、正確なＩＲ搬送周波数を使用し、実施例２については、ＩＲ搬送波を使用せずにＩＲ搬送周波数のデータを使用する。６１０で、送信機３０はＩＲ信号を受信する。６１２で、マイクロプロセッサはオリジナル・メッセージ（ｏｒｉｇｉｎａｌ  ｍｅｓｓａｇｅ）に４ビットのデータを（もしそれが６０２で追加されていなければ）追加し、実際のＩＲ搬送周波数のメッセージを（もしそれが第２の実施例に従って送られていれば）取り除く。６１５で、６１２からのメッセージ（ＩＲ周波数のデータを有し、そして搬送波のない）は、受信機３６で受信されるＲＦ搬送波の上にＡＳＫ変調され、メッセージは復号化され、その４ビットはオリジナル・メッセージから分離される。
【００２８】
分岐６０８に進むと、ここでリモコン１８はＲＦリモコンである。６１６で、マイクロプロセッサは、ＩＲ搬送周波数を表すメッセージに４ビットを追加し、ＩＲ搬送波（もしあれば）をメッセージから取り除く。６１８で、追加されたビットを有するメッセージはＲＦ搬送波（６１５で受信される）の上にＡＳＫ変調される。
【００２９】
６２０で、受信機のマイクロプロセッサは、４ビットを復号化してＩＲ搬送周波数を決定し、６２２で、指定されたＩＲ搬送周波数でＩＲメッセージを再構成し、そしてＩＲ遠隔制御可能な装置によって６２４で受信されるＩＲメッセージを送信する。
【図面の簡単な説明】
【００３０】
【図１Ａ】本発明の２つの実施例による構成を示す。
【図１Ｂ】本発明の第３の実施例による構成を示す。
【図２】ＩＲリモコンのデータについてのタイミング・チャートを示す。
【図３】図２のデータについての詳細なタイミング・チャートを示す。
【図４】ＩＲ搬送周波数のデータが追加されている、図２のデータのタイミング・チャーとを示す。
【図５】ＩＲ搬送周波数のデータが追加されている、図４のデータの詳細なタイミング・チャートを示す。
【図６】本発明の態様によるシステムの動作を示すフローチャートである。
【図１Ａ】
2004532585.tif 000004
【図１Ｂ】
2004532585.tif 000005
【図２】
2004532585.tif 000006
【図３】
2004532585.tif 000007
【図４】
2004532585.tif 000008
【図５】
2004532585.tif 000009
【図６】
2004532585.tif 000010
【国際公開パンフレット】
2004532585.tif 000011
2004532585.tif 000012
2004532585.tif 000013
2004532585.tif 000014
2004532585.tif 000015
2004532585.tif 000016
2004532585.tif 000017
2004532585.tif 000018
2004532585.tif 000019
2004532585.tif 000020
2004532585.tif 000021
2004532585.tif 000022
2004532585.tif 000023
2004532585.tif 000024
2004532585.tif 000025
2004532585.tif 000026
2004532585.tif 000027
2004532585.tif 000028
2004532585.tif 000029
2004532585.tif 000030
【国際公開パンフレット（コレクトバージョン）】
2004532585.tif 000031
2004532585.tif 000032
2004532585.tif 000033
2004532585.tif 000034
2004532585.tif 000035
2004532585.tif 000036
2004532585.tif 000037
2004532585.tif 000038
2004532585.tif 000039
2004532585.tif 000040
2004532585.tif 000041
2004532585.tif 000042
2004532585.tif 000043
2004532585.tif 000044
2004532585.tif 000045
2004532585.tif 000046
2004532585.tif 000047
2004532585.tif 000048
2004532585.tif 000049
2004532585.tif 000050
2004532585.tif 000051
【手続補正書】
【提出日】平成15年5月30日(2003.5.30)
【手続補正１】
【補正対象書類名】特許請求の範囲
【補正対象項目名】全文
【補正方法】変更
【補正の内容】
【特許請求の範囲】
【請求項１】
ＩＲ（赤外線）制御可能な装置を制御するために第１の制御装置の有効制御範囲を拡張するための制御装置であって、
制御情報用のデータ・セグメントを備える第１の制御信号を前記第１の制御装置から受信する受信機と、
前記第１の制御信号からＩＲ搬送周波数を抽出する手段と、
前記制御情報用のデータ・セグメントを備え且つ前記ＩＲ搬送周波数を有するＲＦ信号を送信する手段と、からなり、前記ＲＦ信号は、前記ＩＲ制御可能な装置を制御するために前記ＲＦ信号をＩＲ制御信号に変換する第２の制御装置で受信され、前記ＩＲ制御信号は、前記ＩＲ搬送周波数を有するＩＲ搬送波を備え且つ前記制御情報用のデータ・セグメントを備える、前記制御装置。
【請求項２】
前記ＩＲ搬送周波数は前記第１の制御信号のデータ・セグメントの中に含まれ、前記受信機は、前記ＩＲ搬送周波数を指定するデータ・セグメントの一部を抽出することにより前記ＩＲ搬送周波数を識別する、請求項１記載の制御装置。
【請求項３】
前記第１の制御信号がＲＦ信号である、請求項２記載の制御装置。
【請求項４】
ＩＲ搬送周波数を指定するデータ・セグメントの一部が少なくとも４ビット長である、請求項２記載の制御装置。
【請求項５】
前記第１の制御信号がＩＲ信号である、請求項１記載の制御装置。
【請求項６】
前記第１の制御信号はＩＲ搬送波で送信され、前記抽出する手段は前記ＩＲ搬送波の周波数を確定することにより前記ＩＲ搬送周波数を抽出する、請求項５記載の制御装置。
【請求項７】
前記送信する手段は前記ＩＲ搬送波を送信しない、請求項５記載の制御装置。
【請求項８】
前記ＲＦ信号はＡＳＫ変調される、請求項１記載の制御装置。
【請求項９】
前記ＲＦ信号は、それぞれの制御可能な装置を有する複数の第２の制御装置で受信できる、請求項１記載の制御装置。
【請求項１０】
前記制御装置を備える共有の住宅内に前記第１の制御装置が配置される、請求項１記載の制御装置。
【請求項１１】
前記送信する手段の送信段の電源が、変形された前記第１の制御信号で変調される、請求項１記載の制御装置。
【請求項１２】
前記電源が、前記第１の制御装置からの１００パーセント信号出力で変調される、請求項１１記載の制御装置。
【請求項１３】
前記電源が、前記第１の制御装置からの１００パーセント以下の信号出力で変調される、請求項１１記載の制御装置。
【請求項１４】
前記送信する手段が過変調され、衝撃係数のオン・タイムがオフ・タイムよりも短い、請求項１１記載の制御装置。
【請求項１５】
ＩＲ（赤外線）制御可能な装置を制御するために第１の制御装置の有効制御範囲を拡張するための制御装置であって、制御情報用のデータ・セグメントおよびＩＲ搬送周波数を備えるＲＦ制御信号を前記第１の制御装置から受信するＲＦ受信機と、
前記ＩＲ制御可能な装置を制御するために第１のＩＲ制御信号を送信するＩＲ送信機と、からなり、前記第１のＩＲ制御信号は前記制御情報用のデータ・セグメントを備え且つ前記ＩＲ搬送周波数を有する搬送波を備える、前記制御装置。
【請求項１６】
前記ＲＦ制御信号は、第２の制御装置によって送信され且つ前記第１の制御装置によって受信される第２のＩＲ制御信号に対応する、請求項１５記載の制御装置。
【請求項１７】
ＩＲ制御可能な装置を制御するために第１の制御装置の有効制御範囲を拡張するための制御装置であって、
制御情報用のデータ・セグメントおよびＩＲ搬送周波数を備える第１の制御信号を前記第１の制御装置から受信する受信機と、
前記ＩＲ制御可能な装置を制御するためにＩＲ制御信号を送信するＩＲ送信機と、からなり、前記ＩＲ制御信号は、前記制御情報用のデータ・セグメントを備え且つＩＲ搬送周波数を有する搬送波を備える、前記制御装置。
【請求項１８】
前記第１の制御信号がＩＲ信号である、請求項１７記載の制御装置。
【請求項１９】
ＩＲ制御可能な装置を制御する制御装置であって、
制御情報用のデータ・セグメントおよびＩＲ搬送周波数を備える第１の制御信号を送信する送信機を含み、前記第１の制御信号は、前記制御情報用のデータ・セグメントを備え且つ前記ＩＲ搬送周波数を有する搬送波を備えるＩＲ制御信号を発生する第２の制御装置で受信される、前記制御装置。
【請求項２０】
前記送信機がＩＲ送信機である、請求項１９記載の制御装置。
【国際調査報告】
2004532585.tif 000052
2004532585.tif 000053